(57)【要約】 【課題】簡易な構成で、表示画像の歪みを抑制する。【解決手段】画像制御装置１は、表示部と、表示部の表示面とは反対側に、表示面内の所定領域に対向して配置される撮影部と、表示面内の所定領域の単位面積当たりの可視光透過量が所定領域以外の表示面内の単位面積当たりの可視光透過量よりも多くなるように表示面に表示される画像を制御する表示制御部と、を備える。【選択図】図１
2016152606.tif 000002
【特許請求の範囲】
【請求項１】
表示部と、
前記表示部の表示面とは反対側に、前記表示面内の所定領域に対向して配置される撮影部と、
前記表示面内の前記所定領域の単位面積当たりの可視光透過量が前記所定領域以外の前記表示面内の単位面積当たりの可視光透過量よりも多くなるように前記表示面に表示される画像を制御する表示制御部と、を備える画像制御装置。
【請求項２】
前記表示制御部は、前記所定領域以外の前記表示面内に、前記撮影部が前記所定領域を通して撮影した画像を描画する請求項１に記載の画像制御装置。
【請求項３】
前記表示部の表示面の少なくとも一部を覆うハーフミラーシートを備え、
前記表示制御部は、前記ハーフミラーシート全体の可視光反射量が所定の基準量よりも多い第１モードと、前記所定領域に対応する前記ハーフミラーシート内の対向領域における単位面積当たりの可視光透過量が前記対向領域以外の前記ハーフミラーシートの単位面積当たりの可視光透過量よりも多い第２モードと、を前記表示部の表示変更により切り替える請求項１または２に記載の画像制御装置。
【請求項４】
前記表示制御部は、前記第２モードでは、前記表示部内の前記所定領域への描画を停止するか、あるいは前記所定領域に対して前記所定領域の周囲よりも単位面積当たりの可視光透過量の高い描画を行う請求項３に記載の画像制御装置。
【請求項５】
前記表示制御部は、前記第２モードでは、前記所定領域を通して前記ハーフミラーシートの前方を前記撮影部にて撮影した画像を前記所定領域以外の前記表示面内に描画する請求項３または４に記載の画像制御装置。
【請求項６】
前記表示制御部は、前記第２モードでは、前記所定領域以外の前記表示面内に、前記所定領域を通して前記ハーフミラーシートの前方を前記撮影部にて撮影した画像と所定の画像とを合成した画像を描画する請求項５に記載の画像制御装置。
【請求項７】
前記撮影部は、前記ハーフミラーシートの前方に位置する人物を撮影し、
前記表示制御部は、前記人物の撮影画像と、前記人物により選択された前記所定の画像と、を合成した画像を、前記所定領域以外の前記表示面内に描画する請求項６に記載の画像制御装置。
【請求項８】
前記撮影部は、前記ハーフミラーシートの前方に位置する人物を撮影し、
前記表示制御部は、前記第２モードでは、前記ハーフミラーシートで反射された前記人物の画像に重畳される所定の画像を描画する請求項３または４に記載の画像制御装置。
【請求項９】
前記表示制御部は、前記第２モードでは、前記所定の画像を描画する領域以外は黒色の同系色で描画する請求項８に記載の画像制御装置。
【請求項１０】
前記所定の画像は、衣服の画像である請求項７乃至９のいずれか１項に記載の画像制御装置。
【請求項１１】
前記表示制御部は、前記第１モードでは、前記表示部上の前記ハーフミラーシートと対向する領域を黒色の同系色で描画する請求項１乃至１０のいずれか１項に記載の画像制御装置。
【請求項１２】
前記ハーフミラーシートは、前記表示部の表示面の全面を覆い、
前記所定領域は、前記ハーフミラーシートの中央部であり、
前記撮影部は、前記表示部の表示面とは反対側の背面中央部に配置される請求項１乃至１１のいずれか１項に記載の画像制御装置。
【請求項１３】
前記表示部は、バックライト部により後方から照明され透明基材で形成された液晶表示パネルであり、
前記撮影部は、前記液晶表示パネルと前記バックライト部との間に配置される請求項１乃至１２のいずれか１項に記載の画像制御装置。
【請求項１４】
前記表示部は、可視光透過性を有し透明基材で形成された自発光型表示パネルであり、
前記表示制御部は、前記第２モードでは、前記自発光型表示パネル上の前記対向領域では発光を停止させる請求項１乃至１０のいずれか１項に記載の画像制御装置。
【発明の詳細な説明】
【技術分野】
【０００１】
本発明は、透過型表示パネルの画像を制御する画像制御装置に関する。
【背景技術】
【０００２】
カメラで撮影した人物の映像に、衣服の試着物の画像を重ね合わせて表示するバーチャル・フィッティングが提案され（特許文献１参照）、実際に店舗等でも利用されている。
【０００３】
バーチャル・フィッティングでは、大画面の表示パネルの脇にビデオカメラを配置し、表示パネルの正面に立った人物の映像を表示パネルに表示するとともに、この人物の映像に種々の衣服の映像を重ね合わせて表示できるようにしている。
【先行技術文献】
【特許文献】
【０００４】
【特許文献１】特開２００５−１３６５３８号公報
【発明の概要】
【発明が解決しようとする課題】
【０００５】
表示パネルの中央付近にカメラを配置すると、表示パネルの表示を妨げることになるため、カメラは表示パネルの脇に配置されるのが一般的である。しかしながら、カメラが表示パネルの脇に配置されると、斜め方向から人物を撮影することになり、このままでは、表示パネルに表示される人物の映像に歪みが生じてしまう。映像の歪みをソフトウェア処理にて補正することも可能であるが、斜め方向から撮影した映像を正面方向から撮影した映像に近づけるように補正することは困難であり、衣服の映像を人物の映像に重ね合わせたときに、衣服の表示位置が本来の表示位置からずれてしまい、人間の目に違和感を生じさせてしまう。
【０００６】
本発明は、上述した課題に鑑みてなされるものであり、その目的は、簡易な構成で、表示画像の歪みを抑制可能な画像制御装置を提供することにある。
【課題を解決するための手段】
【０００７】
上記の課題を解決するために、本発明の一態様では、表示部と、
前記表示部の表示面とは反対側に、前記表示面内の所定領域に対向して配置される撮影部と、
前記表示面内の前記所定領域の単位面積当たりの可視光透過量が前記所定領域以外の前記表示面内の単位面積当たりの可視光透過量よりも多くなるように前記表示面に表示される画像を制御する表示制御部と、を備える画像制御装置が提供される。
【０００８】
前記表示制御部は、前記所定領域以外の前記表示面内に、前記撮影部が前記所定領域を通して撮影した画像を描画してもよい。
【０００９】
前記表示部の表示面の少なくとも一部を覆うハーフミラーシートを備え、
前記表示制御部は、前記ハーフミラーシート全体の可視光反射量が所定の基準量よりも多い第１モードと、前記所定領域に対応する前記ハーフミラーシート内の対向領域における単位面積当たりの可視光透過量が前記対向領域以外の前記ハーフミラーシートの単位面積当たりの可視光透過量よりも多い第２モードと、を前記表示部の表示変更により切り替えてもよい。
【００１０】
前記表示制御部は、前記第２モードでは、前記表示部内の前記所定領域への描画を停止するか、あるいは前記所定領域に対して前記所定領域の周囲よりも単位面積当たりの可視光透過量の高い描画を行ってもよい。
【００１１】
前記表示制御部は、前記第２モードでは、前記所定領域を通して前記ハーフミラーシートの前方を前記撮影部にて撮影した画像を前記所定領域以外の前記表示面内に描画してもよい。
【００１２】
前記表示制御部は、前記第２モードでは、前記所定領域以外の前記表示面内に、前記所定領域を通して前記ハーフミラーシートの前方を前記撮影部にて撮影した画像と所定の画像とを合成した画像を描画してもよい。
【００１３】
前記撮影部は、前記ハーフミラーシートの前方に位置する人物を撮影し、
前記表示制御部は、前記人物の撮影画像と、前記人物により選択された前記所定の画像と、を合成した画像を、前記所定領域以外の前記表示面内に描画してもよい。
【００１４】
前記撮影部は、前記ハーフミラーシートの前方に位置する人物を撮影し、
前記表示制御部は、前記第２モードでは、前記ハーフミラーシートで反射された前記人物の画像に重畳される所定の画像を描画してもよい。
【００１５】
前記表示制御部は、前記第２モードでは、前記所定の画像を描画する領域以外は黒色の同系色で描画してもよい。
【００１６】
前記所定の画像は、衣服の画像であってもよい。
【００１７】
前記表示制御部は、前記第１モードでは、前記表示部上の前記ハーフミラーシートと対向する領域を黒色の同系色で描画してもよい。
【００１８】
前記ハーフミラーシートは、前記表示部の表示面の全面を覆い、
前記所定領域は、前記ハーフミラーシートの中央部であり、
前記撮影部は、前記表示部の表示面とは反対側の背面中央部に配置されてもよい。
【００１９】
前記表示部は、バックライト部により後方から照明され透明基材で形成された液晶表示パネルであり、
前記撮影部は、前記液晶表示パネルと前記バックライト部との間に配置されてもよい。
【００２０】
前記表示部は、可視光透過性を有し透明基材で形成された自発光型表示パネルであり、
前記表示制御部は、前記第２モードでは、前記自発光型表示パネル上の前記対向領域では発光を停止させてもよい。
【発明の効果】
【００２１】
本発明によれば、簡易な構成で、表示画像の歪みを抑制できる。
【図面の簡単な説明】
【００２２】
【図１】本発明の一実施形態による画像制御装置１の概略構成を示す斜視図。
【図２】図１の画像制御装置１のブロック図。
【図３】透過型表示パネル上の対向領域を示す図。
【図４】画像制御装置１が行うバーチャル・フィッティングの処理手順の一例を示すフローチャート。
【図５】バーチャル・フィッティング前の様子を示す図。
【図６】バーチャル・フィッティング後の様子を示す図
【発明を実施するための形態】
【００２３】
以下、本発明の実施の形態について、詳細に説明する。図１は本発明の一実施形態による画像制御装置１の概略構成を示す斜視図、図２は図１の画像制御装置１のブロック図である。本実施形態による画像制御装置１は、透過型表示パネル２と、ハーフミラーシート３と、撮影部４と、表示制御部５とを備えている。
【００２４】
透過型表示パネル２は、複数の透明基材を積層して構成されている。透過型表示パネル２の具体例としては、液晶表示パネルや自発光型表示パネルなどである。自発光型表示パネルは、例えば、有機ＥＬ（Electroluminescent）ディスプレイ、プラズマディスプレイ、電界放出ディスプレイなどである。
【００２５】
透過型表示パネル２として液晶表示パネルを用いる場合には、図１に示すように、透過型表示パネル２の背面側にバックライト部６が必要となる。バックライト部６は、透過型表示パネル２の表示面全体を照明する面発光部である。
【００２６】
透過型表示パネル２の表示面の少なくとも一部は、ハーフミラーシート３で覆われている。以下の説明では、簡略化のために、透過型表示パネル２の表示面の全体をハーフミラーシート３で覆う例を説明するが、一部だけを覆ってもよい。また、場合によっては、ハーフミラーシート３を設けずに、透過型表示パネル２の表面ガラスやフィルムをハーフミラー代わりに用いてもよい。
【００２７】
ハーフミラーシート３は、例えば、ガラスや樹脂などの透明基材にごく薄い反射膜を形成したシート状部材であり、この部材の反射率は５０％程度である。本実施形態では、後述するように、透過型表示パネル２の表示画像または表示のオン／オフを制御することで、ハーフミラーシート３の可視光反射量および可視光透過量を可変制御する。例えば、透過型表示パネル２の輝度が低いほど、ハーフミラーシート３の可視光反射量は大きくなり、相対的に透過光の光度は低くなる。逆に、透過型表示パネル２の輝度が高いほど、ハーフミラーシート３の可視光透過量が大きくなり、相対的に反射光の光度は低くなる。本実施形態は、透過型表示パネル２の表示画像を任意に切り替えることで、画素ごとにハーフミラーシート３の可視光反射量および可視光透過量を可変制御できることに着目して、必要に応じてハーフミラーシート３の可視光反射量および可視光透過量を切り替える。
【００２８】
撮影部４は、透過型表示パネル２の背面側に設けられている。透過型表示パネル２が液晶表示パネル２ａの場合は、撮影部４は液晶表示パネル２ａとバックライト部６との間に設けられる。撮影部４は、透過型表示パネル２の正面方向を撮影する。撮影部４は、動画撮影を行うことを念頭に置いているが、例えば短い間隔で静止画撮影を繰り返し行ってもよい。
【００２９】
より具体的には、撮影部４は、透過型表示パネル２の背面側に、透過型表示パネル２の表示面内の所定領域２ｂに対向して配置されている。所定領域２ｂとは、例えば表示面の中央部である。この場合、透過型表示パネル２の表示面の全体をハーフミラーシート３が覆っているとすると、透過型表示パネル２の背面側中央部に撮影部４が配置されることになる。なお、撮影部４は必ずしも、透過型表示パネル２の背面側中央部に配置されている必要はないが、以下では、撮影部４を背面側中央部に配置する例を説明する。
【００３０】
撮影部４を透過型表示パネル２の背面側中央部に配置する理由は、撮影部４で撮影した画像の歪みを最小化することができるためである。例えば、従来のように、撮影部４が表示パネルの左右端または上下端側に配置されていると、表示パネルの正面に位置する被写体を斜め方向から撮影することになり、撮影画像に歪みが生じてしまう。すなわち、被写体のうち、カメラに近い側はより大きく撮影され、カメラから遠い側はより小さく撮影されてしまう。このような撮影画像を、被写体の正面から撮影した画像に補正することは技術的に困難である。
【００３１】
例えば、斜め方向から撮影した人物の撮影画像に衣服の画像を合成するバーチャル・フィッティングを行う場合、撮影画像の歪みを補正する処理を行ったとしても、衣服の画像との位置ずれおよびサイズずれが生じてしまう。
【００３２】
そこで、本実施形態では、透過型表示パネル２の背面側中央部に撮影部４を配置する。従来は、不透明の筐体で覆われた表示装置に撮影部４を取り付けていたため、表示装置の背面側中央部に撮影部４を配置することはできなかった。これに対して、本実施形態では、可視光透過性のある透過型表示パネル２の背面側に撮影部４を配置するため、撮影部４は、透過型表示パネル２を通して前方を撮影可能となり、撮影部４の配置場所についての制限がなくなる。よって、撮影画像の歪みが最も少ない透過型表示パネル２の背面側中央部に撮影部４を配置可能となる。
【００３３】
撮影部４は、ＣＭＯＳ（Complementary Metal Oxide Semiconductor）センサやＣＣＤ（Charged Coupled Device）などの撮像素子と焦点調節を行う光学系とを有し、静止画だけでなく、動画撮影も可能なカメラである。このカメラは、携帯電話やスマートフォンに搭載されているカメラと同程度の小型のもので十分であり、各撮影部の口径は数ｍｍ以下でよい。
【００３４】
透過型表示パネル２が液晶表示パネル２ａの場合、液晶層の両端面に電圧を印加しないときに白表示を行うノーマリホワイトと、電圧を印加したときに黒表示を行うノーマリブラックがある。本実施形態による液晶表示パネル２ａは、ノーマリホワイトとノーマリブラックのいずれでもよい。例えば、ノーマリホワイトの液晶表示パネル２ａの場合、第１モードでは、液晶表示パネル２ａの全画素に電圧を印加して、液晶表示パネル２ａの表示面全体を黒色の同系色に描画する。ここで、同系色とは、例えば、色相環における黒色を中心として１／６の範囲の色を指すが、同系色でなくても、黒っぽい色であれば、ハーフミラーシート３の可視光反射量が向上するため、黒の同系色から外れた黒っぽい色で描画してもよい。
【００３５】
一方、透過型表示パネル２が自発光型表示パネルの場合、黒表示または白表示を行うには、全画素を駆動して黒または白の描画を行う必要がある。例えば、第１モードの場合、自発光型表示パネルの全画素にて黒表示を行えばよい。また、第２モードの場合、透過型表示パネル２上の所定領域２ｂでは透明色の表示を行い、それ以外の領域では、自発光型表示パネルに描画する画像に応じた色の表示を行う。自発光型表示パネルは、透明基材で形成されている場合には、所定領域２ｂ内の画素については、駆動を停止させればよい。自発光型表示パネルの場合、バックライト部６が不要となるため、画像制御装置１の構成をより簡略化できる。
【００３６】
表示制御部５は、表示面内の所定領域２ｂの単位面積当たりの可視光透過量が所定領域２ｂ以外の表示面内の単位面積当たりの可視光透過量よりも多くなるように、表示面に表示される画像を制御する。より詳細には、表示制御部５は、透過型表示パネル２の表示変更により、第１モードと第２モードとの切替を行う。第１モードは、ハーフミラーシート３全体の可視光反射量が所定の基準量よりも多いモードである。所定の基準量とは、例えば入射光量に対する反射光量の割合が５０％の場合である。この第１モードでは、透過型表示パネル２の正面に位置する被写体の鏡面像をハーフミラーシート３に映すことを意図しており、透過型表示パネル２は鏡面として作用する。
【００３７】
一方、第２モードは、所定領域２ｂに対応するハーフミラーシート３内の対向領域３ａ（例えば中央部）における単位面積当たりの可視光透過量が対向領域３ａ以外のハーフミラーシート３の単位面積当たりの可視光透過量よりも多いモードである。
【００３８】
透過型表示パネル２上の所定領域２ｂとハーフミラーシート３内の対向領域３ａは、撮影部４の光軸が通る領域である。所定領域２ｂに種々の画像が描画されると、撮影部４は、被写体だけでなく、描画された画像も撮影してしまう。これでは、被写体の画像を違和感なく描画できなくなる。そこで、本実施形態では、撮影部４の光軸上にある所定領域２ｂにおける可視光透過量を高くしている。
【００３９】
理想的には、第２モードにおけるハーフミラーシート３内の対向領域３ａの可視光透過量はできるだけ大きい方が望ましい。そのためには、透過型表示パネル２上の所定領域２ｂを透明状態にすればよい。例えば、ノーマリホワイトであれば、この所定領域２ｂに対応する画素への電圧印加を停止する。また、ノーマリブラックであれば、この所定領域２ｂに対応する画素には電圧を印加し、バックライト部６の光が透過するようにする。
【００４０】
また、第２モードでは、ハーフミラーシート３内の対向領域３ａ以外の領域の可視光反射量を、透過型表示パネル２に描画される画像に応じて可変させる。これにより、透過型表示パネル２に何らかの画像を描画した場合には、その画像がハーフミラーシート３を通して視認可能となる。これにより、ハーフミラーシート３内の対向領域３ａ以外の任意の場所に、任意の画像を描画すれば、ハーフミラーシート３を通してその画像を視認できるようになる。
【００４１】
透過型表示パネル２上の所定領域２ｂのサイズは、撮影部４のレンズ径以上であればよく、所定領域２ｂの形状には特に制限はない。図３では、撮影部４のレンズ形状に合わせて、所定領域２ｂを円形にした例を示している。所定領域２ｂ内には、画像を描画できないため、必要最小限のサイズにするのが望ましい。
【００４２】
本実施形態による画像制御装置１は、例えば、仮想的に衣服の試着を行うバーチャル・フィッティングに適用することができる。
【００４３】
図４は画像制御装置１が行うバーチャル・フィッティングの処理手順の一例を示すフローチャート、図５および図６はバーチャル・フィッティングの様子を示す図である。以下では、これらの図に基づいて、本実施形態によるバーチャル・フィッティングの処理手順を説明する。
【００４４】
初期状態では、第１モードに設定されており、ハーフミラーシート３は、鏡面として作用している。よって、試着を希望する人物が透過型表示パネル２の正面に位置すると、その人物の姿がハーフミラーシート３に映し出される。人物は、ハーフミラーシート３上の自分の姿を見ながら、前後左右に移動して、自分の姿がハーフミラー上に最適なサイズおよび位置で表示されるようにする（ステップＳ１）。
【００４５】
なお、床面に目印マークを付すなどして、予め人物が位置すべき場所を決めてもよい。人物が位置する場所が固定であれば、撮影部４から人物までの距離や方向を検出する必要がなくなり、人物の画像と衣服の画像との位置ずれやサイズずれを少なくすることができる。予め人物が位置する場所を決めておく場合は、撮影部４の光軸および焦点距離を考慮に入れて、その場所を決めるのが望ましい。これにより、人物画像の歪みを最小化した状態で、最適なサイズで、かつレンズボケも少ない鮮明な人物画像を撮影部４にて撮影可能となる。
【００４６】
ハーフミラーシート３を鏡面として作用させるには、上述したように、ノーマリブラックの液晶表示パネル２ａであれば、液晶表示パネル２ａの全画素について、液晶層の駆動を停止させればよい。また、ノーマリホワイトの液晶表示パネル２ａであれば、液晶表示パネル２ａの全画素について、液晶層に所定の電圧を印加して、黒描画を行えばよい。
【００４７】
ハーフミラーシート３に映された人物または他の人間（以下では、総称してユーザと呼ぶ）の指示に応じて、撮影部４は動画撮影を開始する（ステップＳ２）。ユーザの指示は、ボタン操作によって行われてもよいし、ユーザの発した音声を音声認識して、ユーザの指示を解釈してもよい。あるいは、透過型表示パネル２にタッチパネル機能を設けて、表示面に表示されたメニューボタンをユーザがタッチすることで、ユーザの指示を受け付けてもよい。
【００４８】
撮影部４が動画撮影を開始すると、表示制御部５は、撮影部４で撮影されたユーザ自身の映像を透過型表示パネル２に描画する（ステップＳ３）。これにより、透過型表示パネル２の正面側に立っているユーザは、ハーフミラーシート３を通して描画された自身の映像を視認することができる。
【００４９】
このとき、表示制御部５は、撮影部４の光軸が通過する透過型表示パネル２の中央部（所定領域２ｂ）への描画は行わない。これにより、撮影部４は、ユーザの映像が透過型表示パネル２に描画されている間でも、継続して、ハーフミラーシート３を通してユーザの姿を撮影することができる。
【００５０】
本実施形態では、透過型表示パネル２の背面側中央部に撮影部４を配置しているため、撮影部４の光軸方向にユーザが位置している場合には、撮影部４で撮影されたユーザ自身の映像には、大きな歪みは生じていない。よって、撮影されたユーザ自身の映像をそのまま透過型表示パネル２に表示させても、ステップＳ１でハーフミラーシート３に映し出されたユーザの鏡面像と大きな差違は生じない。人物が撮影部４の光軸からずれて位置している場合には、その人物を斜め方向から撮影することになり、撮影画像を透過型表示パネル２に描画する際に若干の歪みが生じてしまうが、撮影部４を表示パネルの縁部に配置する場合と比べれば、歪みははるかに少ない。
【００５１】
よって、本実施形態によれば、撮影部４で撮影した映像の歪みを補正する処理は不要となり、撮影部４で撮影された映像を透過型表示パネル２に描画するまでの時間を短縮できる。
【００５２】
次に、ユーザは、自身が試着したい衣服を選択する（ステップＳ４）。この選択にあたって、透過型表示パネル２上に、選択可能な衣服を、文字や写真、イラストなどで表示し、その中から任意の衣服をユーザが選択できるようにしてもよい。具体的な選択にあたっては、透過型表示パネル２をタッチして選択してもよいし、リモートコントローラで選択してもよいし、ユーザの音声を音声認識して選択してもよいし、あるいはその他の手段で選択してもよい。
【００５３】
次に、表示制御部５は、ユーザが選択した衣服の画像を、ユーザ自身の映像に重なるように描画する（ステップＳ５）。これにより、図６に示すように、あたかもユーザがその衣服を着用しているような画像が透過型表示パネル２に表示される。図６に示すように、撮影部４の配置場所２ｂについては、衣服の画像は描画されない。なお、図６では、透過型表示パネル２上に設けられる透明度の高い所定領域２ｂを誇張して図示しているが、実際には、１〜２ｃｍ径のサイズであり、このサイズに衣服の画像が描画されなくても、特に違和感はない。
【００５４】
本実施形態では、撮影部４を透過型表示パネル２の背面側中央部に配置しているため、撮影部４で撮影されたユーザ自身の映像には大きな歪みはないことから、この映像に衣服の画像を重ね合わせたときの位置ずれやサイズずれもそれほど生じない。
【００５５】
図４のステップＳ３では、撮影部４で撮影された人物（ユーザ）の映像を透過型表示パネル２に描画しているが、人物の姿は、ハーフミラーシート３に映る鏡面像をそのまま利用し、衣服の画像のみを透過型表示パネル２で描画して、鏡面像に衣服の画像を重ね合わせてもよい。この場合、表示制御部５は、撮影部４で撮影された人物の映像の表示位置に合わせて衣服の画像を生成し、生成した衣服の画像を透過型表示パネル２に描画すればよいため、表示制御部５が行う描画処理の負担が軽減する。これにより、ユーザは、ハーフミラーシート３に映る鏡面像に衣服が重ね合わされた映像を視認できる。
【００５６】
このように、本実施形態では、例えば透過型表示パネル２の背面側中央部に撮影部４を配置するとともに、透過型表示パネル２の表示面をハーフミラーシート３で覆うため、透過型表示パネル２の正面側に位置する人物をそのままハーフミラーシート３に映す第１モードと、透過型表示パネル２上に描画した画像をハーフミラーシート３を通して視認可能とする第２モードとを切り替えることができる。第１モードと第２モードの切替は、透過型表示パネル２の描画状態を切り替えるだけで実現できるため、切替の手間がかからない。これにより、本実施形態によれば、自分の姿をそのまま映し出すことができるとともに、好みの衣装を選択して着用した映像も必要に応じて映し出すバーチャル・フィッティングを行うことができる。
【００５７】
また、本実施形態では、透過型表示パネル２の背面側中央部に撮影部４を配置できるため、撮影部４で撮影した人物画像に歪みがほとんど生じない。よって、従来のように、表示パネルの脇に撮影部４を配置した場合に必要となる撮影画像の歪み補正処理が不要となる。また、撮影部４で撮影した人物画像に歪みがないことから、衣服の画像などを人物画像に重ね合わせたときの位置ずれを抑制でき、違和感のない合成画像を表示できる。
【００５８】
以上では、本実施形態による画像制御装置１を用いてバーチャル・フィッティングを行う例を説明したが、本実施形態による画像制御装置１は、バーチャル・フィッティング以外の目的にも適用可能である。例えば、人物の顔の化粧を仮想的に変更する目的や、髪型を仮想的に変更する目的や、イヤリングやネックレス等のアクセサリを仮想的に変更する目的などにも適用可能である。また、被写体は、必ずしも人間だけとは限らない。例えば、犬や猫等のペットを対象として仮想的に衣装等を変更する目的にも適用可能である。また、人物やペットなどの動物だけでなく、部屋のインテリアなどを仮想的に変更する目的などにも適用可能である。
【００５９】
上述した実施形態で説明した画像制御装置１の少なくとも一部は、ハードウェアで構成してもよいし、ソフトウェアで構成してもよい。ソフトウェアで構成する場合には、画像制御装置１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００６０】
また、画像制御装置１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００６１】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６２】
１  画像制御装置、２  透過型表示パネル、２ａ  液晶表示パネル、２ｂ  対向領域、３  ハーフミラーシート、３ａ  所定領域、４  撮影部、５  表示制御部、６  バックライト部
【図１】
2016152606.tif 000003
【図２】
2016152606.tif 000004
【図３】
2016152606.tif 000005
【図４】
2016152606.tif 000006
【図５】
2016152606.tif 000007
【図６】
2016152606.tif 000008